(57)【要約】【課題】方向によって著しく透過率が変化する視野角特性を有効利用して使い勝手を向上する。【解決手段】ＶＡ方式のシングルドメイン方式による調光フィルム１０を備えるようにする。車両の平面視において窓４Ｒから奥行方向に座席が設けられ、この窓４Ｒには、調光フィルム１０が、電界の印加により液晶分子が窓４Ｒの水平方向に倒れ込む向きにより配置される。これにより極角の大きな視線に係る透過光については、遮光し、例えば窓近傍の搭乗者については目視できないようにする。また極角の小さな視線に係る透過光については、遮光しないようにし、これにより例えば運転手の視線を遮らないようにする。【選択図】図２
2018055003.tif 000002
【特許請求の範囲】
【請求項１】
座席と、
前記座席の着座位置から見て側面前方側に少なくとも設けられる窓と、
前記窓に配置される調光フィルムと、を備え、
前記調光フィルムは、液晶層を直線偏光板により挟持し、前記液晶層の液晶は、無電界時に前記直線偏光板に対して垂直方向に配向し、電界印加時に前記直線偏光板に対して水平方向に配向し、
前記調光フィルムは、シングルドメイン構成であって、
前記窓には、前記調光フィルムが、電界の印加により液晶分子が前記窓の水平方向に倒れ込む向きに配置された
調光システム。
【請求項２】
窓と、
液晶層を直線偏光板により挟持し、前記液晶層の液晶は、無電界時に前記直線偏光板に対して垂直方向に配向し、電界印加時に前記直線偏光板に対して水平方向に配向する、シングルドメイン構成の調光フィルムと、を備え、
窓には、前記調光フィルムが、電界の印加により液晶分子が前記窓の上下方向に倒れ込む向きに配置された
調光システム。
【請求項３】
前記窓が、車両の窓である
請求項１又は請求項２に記載の調光システム。
【請求項４】
前記窓が、建築物の窓である
請求項２に記載の調光システム。
【請求項５】
液晶層を直線偏光板により挟持し、前記液晶層の液晶は、無電界時に前記直線偏光板に対して垂直方向に配向し、電界印加時に前記直線偏光板に対して水平方向に配向する、シングルドメイン構成の調光フィルムを備え、
屋内と屋外とを仕切る窓に、前記調光フィルムが、電界の印加により液晶分子が前記窓の水平方向に倒れ込む向きに配置された
調光システム。
【請求項６】
液晶層を直線偏光板により挟持し、前記液晶層の液晶は、無電界時に前記直線偏光板に対して垂直方向に配向し、電界印加時に前記直線偏光板に対して水平方向に配向する、シングルドメイン構成の調光フィルムを備え、
保育器の側面に、前記調光フィルムが、電界の印加により液晶分子が前記側面の水平方向に倒れ込む向きにより配置された
調光システム。
【発明の詳細な説明】
【技術分野】
【０００１】
本発明は、乗用車の窓等に調光フィルムを貼り付けて外来光の透過を制御する調光システムに関する。
【背景技術】
【０００２】
従来、例えば窓に貼り付けて外来光の透過を制御する調光フィルムに関する工夫が種々に提案されている（特許文献１、２）。このような調光フィルムの１つに、液晶を利用したものがある。この液晶を利用した調光フィルムは、透明電極を作製した透明フィルム材により液晶材料を挟持して液晶セルが作製され、この液晶セルを直線偏光板により挟持して作成される。これによりこの調光フィルムでは、液晶に印加する電界の可変により液晶の配向を可変して外来光を遮光したり透過したりし、さらには透過光量を可変したりし、これらにより外来光の透過を制御する。
【０００３】
このような調光フィルムにおける液晶セルの駆動には、液晶表示パネルについて提案されている種々の駆動方法を適用することができる。具体的には、例えばＴＮ（Ｔｗｉｓｔｅｄ  Ｎｅｍａｔｉｃ）方式、ＩＰＳ（Ｉｎ−Ｐｌａｃｅ−Ｓｗｉｔｃｈｉｎｇ）方式、ＶＡ（Ｖｉｒｔｉｃａｌ  Ａｌｉｇｎｍｅｎｔ）方式等の駆動方式を適用することができる。
【０００４】
また液晶セルの駆動には、シングルドメイン方式、マルチドメイン方式があり、特許文献３には、マルチドメイン化により視野角特性を向上する工夫が提案されている。
【０００５】
ここでＶＡ方式は、液晶の配向を垂直配向と水平配向とで変化させて透過光を制御する方式であり、一般的に、無電界時、液晶を垂直配向させることにより、液晶層を垂直配向層により挟持して液晶セルが構成され、電界の印加により液晶材料を水平配向させるように構成される。またマルチドメイン方式は、電界の可変に対して液晶分子の挙動が異なる領域（ドメイン）を複数設ける方式であり、一般的に、複数領域における光学特性の平均値化（積分化）により視野角特性を向上するために適用される。シングルドメイン方式は、液晶セルに１つのドメインのみを設ける方式である。
【０００６】
ところで調光フィルムは、例えば窓ガラス等に貼り付けて大面積により種々の用途で使用することが予測される。従って簡易な構成により作製できることが望まれる。また窓ガラスに貼り付けて使用する場合、カーテンの機能を担う場合も予測されることにより、充分に入射光を遮光できることが求められる。これらによりＶＡ方式のシングルドメイン方式で駆動することが考えられる。
【０００７】
このＶＡ方式によるシングルドメイン方式では、見る方向により著しく透過率が変化する視野角特性を有する。このような方向によって著しく透過率が変化する視野角特性について、有効に利用することができれば、この種の調光フィルムの使い勝手を向上し、調光フィルムの適用範囲を一段と拡大することができると考えられる。
【先行技術文献】
【特許文献】
【０００８】
【特許文献１】特開平０３−４７３９２号公報
【特許文献２】特開平０８−１８４２７３号公報
【特許文献３】特開平１１−２４２２２５号公報
【発明の概要】
【発明が解決しようとする課題】
【０００９】
本発明はこのような状況に鑑みてなされたものであり、方向によって著しく透過率が変化する視野角特性を有効利用して使い勝手を向上する。
【課題を解決するための手段】
【００１０】
本発明者は、上記課題を解決するために鋭意研究を重ね、方向によって著しく変化する透過率を、特定方向からの目隠しに利用する、との着想に至り、本発明を完成するに至った。
【００１１】
具体的には、本発明では、以下のようなものを提供する。
【００１２】
（１）  座席と、
前記座席の着座位置から見て側面前方側に少なくとも設けられる窓と、
前記窓に配置される調光フィルムと、を備え、
前記調光フィルムは、液晶層を直線偏光板により挟持し、前記液晶層の液晶は、無電界時に前記直線偏光板に対して垂直方向に配向し、電界印加時に前記直線偏光板に対して水平方向に配向し、
前記調光フィルムは、シングルドメイン構成であって、
前記窓には、前記調光フィルムが、電界の印加により液晶分子が前記窓の水平方向に倒れ込む向きに配置された
調光システム。
【００１３】
（１）によれば、極角の変化により透過率が大きく変化する方向が水平方向であるように設定することができる。これにより極角の大きな視線に係る透過光については、遮光し、例えば窓近傍の搭乗者については目視できないようにする。また極角の小さな視線に係る透過光については、遮光しないようにし、これにより例えば運転手の視線を遮らないようにすることができ、これらにより方向によって著しく変化する透過率を、特定方向からの目隠しに利用し、方向によって著しく透過率が変化する視野角特性を有効利用して使い勝手を向上することができる。
【００１４】
（２）  窓と、
液晶層を直線偏光板により挟持し、前記液晶層の液晶は、無電界時に前記直線偏光板に対して垂直方向に配向し、電界印加時に前記直線偏光板に対して水平方向に配向する、シングルドメイン構成の調光フィルムと、を備え、
窓には、前記調光フィルムが、電界の印加により液晶分子が前記窓の上下方向に倒れ込む向きに配置された
調光システム。
【００１５】
（２）によれば、極角の小さな入射光については、遮光しないようにし、これとは逆に極角の大きな入射光については、遮光できるようにし、これらにより方向によって著しく変化する透過率を、特定方向からの目隠し、遮光に利用し、方向によって著しく透過率が変化する視野角特性を有効利用して使い勝手を向上することができる。
【００１６】
（３）  （１）又は（２）において、
前記窓が、車両の窓である調光システム。
【００１７】
（３）によれば、車両の窓に調光フィルムを適用して、方向によって著しく透過率が変化する視野角特性を有効利用して使い勝手を向上することができる。
【００１８】
（４）  （２）において、
前記窓が、建築物の窓である調光システム。
【００１９】
（４）によれば、建築物の窓に適用して、例えば太陽光からの直射光の入射を制御することができる。
【００２０】
（５）  液晶層を直線偏光板により挟持し、前記液晶層の液晶は、無電界時に前記直線偏光板に対して垂直方向に配向し、電界印加時に前記直線偏光板に対して水平方向に配向する、シングルドメイン構成の調光フィルムを備え、
屋内と屋外とを仕切る窓に、前記調光フィルムが、電界の印加により液晶分子が前記窓の水平方向に倒れ込む向きに配置された
調光システム。
【００２１】
（５）によれば、屋内と屋外とを仕切る窓に調光フィルムを適用して、極角の変化により透過率が大きく変化する方向が水平方向であることにより、例えば廊下の延長方向について透過率が大きく変化するように設定することができる。これにより極角の大きな視線に係る透過光については、遮光し、これにより単に廊下を通り過ぎるような通行人については、視線を遮ることができる。また極角の小さな視線に係る透過光については、遮光しないようにし、これにより敢えて屋内を覗き込むような場合には、視線を遮らないようにすることができ、これらにより方向によって著しく透過率が変化する視野角特性を有効利用して使い勝手を向上することができる。
【００２２】
（６）  液晶層を直線偏光板により挟持し、前記液晶層の液晶は、無電界時に前記直線偏光板に対して垂直方向に配向し、電界印加時に前記直線偏光板に対して水平方向に配向する、シングルドメイン構成の調光フィルムを備え、
保育器の側面に、前記調光フィルムが、電界の印加により液晶分子が前記側面の水平方向に倒れ込む向きにより配置された
調光システム。
【００２３】
（６）によれば、保育器の側面に調光フィルムを適用して、極角の変化により透過率が大きく変化する方向が水平方向であることにより、極角の大きな視線に係る透過光については、遮光し、これにより例えば保育器内の乳児については、視線を遮るようにして、刺激を与えないようにすることができる。また極角の小さな視線に係る透過光については、遮光しないようにし、これにより敢えて保育器内を覗き込むような場合には、視線を遮らないようにして乳児の様子を観察することができ、これらにより方向によって著しく透過率が変化する視野角特性を有効利用して使い勝手を向上することができる。
【発明の効果】
【００２４】
本発明によれば、方向によって著しく透過率が変化する視野角特性を有効利用して使い勝手を向上することができる。
【図面の簡単な説明】
【００２５】
【図１】本発明の調光システムに適用される調光フィルムを示す断面図である。
【図２】本発明の第１実施形態に係る調光システムの説明に供する図である。
【図３】極角による透過率の変化を示す特性曲線図である。
【図４】本発明の第２実施形態に係る調光システムの説明に供する図である。
【図５】電界の印可による透過率の変化を示す特性曲線図である。
【図６】本発明の第３実施形態に係る調光システムの説明に供する図である。
【図７】本発明の第４実施形態に係る調光システムの説明に供する図である。
【図８】本発明の第５実施形態に係る調光システムの説明に供する図である。
【発明を実施するための形態】
【００２６】
〔第１実施形態〕
〔調光フィルム〕
図１は、本発明の調光システムに適用される調光フィルムを示す断面図である。この調光フィルム１０は、液晶を利用して透過光を制御するフィルム材あり、印加電圧の可変によりＶＡ方式により液晶の配向を可変して透過光を制御する。
【００２７】
調光フィルム１０は、直線偏光板１２、１３により調光フィルム用の液晶セル１４を挟持して構成される。ここで直線偏光板１２、１３は、ポリビニルアルコール（ＰＶＡ）にヨウ素等を含浸させた後、延伸して直線偏光板としての光学的機能を果たす光学機能層が形成され、ＴＡＣ（トリアセチルセルロース）等の透明フィルム材による基材により光学機能層を挟持して作製される。直線偏光板１２、１３は、クロスニコル配置により、紫外線硬化性樹脂等による接着剤層により液晶セル１４に配置される。なお直線偏光板１２、１３には、それぞれ液晶セル１４側に光学補償に供する位相差フィルム１２Ａ、１３Ａが設けられるものの、位相差フィルム１２Ａ、１３Ａは、必要に応じて省略してもよい。
【００２８】
液晶セル１４は、後述する透明電極への印加電圧により透過光の偏光面を制御する。これにより調光フィルム１０は、透過光を制御して種々に調光を図ることができるように構成される。
【００２９】
〔液晶セル〕
液晶セル１４は、フィルム形状による第１及び第２の積層体である下側積層体１５Ｄ及び上側積層体１５Ｕにより液晶層１８を挟持して構成される。下側積層体１５Ｄは、透明フィルム材による基材１６に、透明電極２１、スペーサ２２、配向層２３を作製して形成される。上側積層体１５Ｕは、透明フィルム材による基材２５に、透明電極２６、配向層２７を積層して形成される。液晶セル１４は、この下側積層体１５Ｄ及び上側積層体１５Ｕに設けられた透明電極２１、２６の駆動により、ＶＡ方式により液晶層１８に設けられた液晶の配向を制御し、これにより透過光の偏光面を制御する。液晶セル１４は、この実施形態では、シングルドメイン方式により構成される。
【００３０】
基材１６、２５は、この種のフィルム材に適用可能な種々の透明フィルム材を適用することができるものの、光学異方性の小さなフィルム材を適用することが望ましい。この実施形態において、基材１６、２５は、ポリカーボネートフィルムが適用されるものの、ＣＯＰ（シクロオレフィンポリマー）フィルム等を適用してもよい。
【００３１】
透明電極２１、２６は、この種のフィルム材に適用される各種の電極材料を適用することができ、この実施形態ではＩＴＯ（Ｉｎｄｉｕｍ  Ｔｉｎ  Ｏｘｉｄｅ）による透明電極材により形成される。スペーサ２２は、液晶層１８の厚みを規定するために設けられ、各種の樹脂材料を広く適用することができるものの、この実施形態ではフォトレジストにより作製され、透明電極２１を作製してなる基材１６の上に、フォトレジストを塗工して露光、現像することにより作製される。なおスペーサ２２は、上側積層体１５Ｕに設けるようにしてもよく、上側積層体１５Ｕ及び下側積層体１５Ｄの双方に設けるようにしてもよい。またスペーサ２２は、配向層２３の上に設けるようにしてもよい。またスペーサは、いわゆるビーズスペーサを適用してもよい。
【００３２】
配向層２３、２７は、光配向層により形成される。ここでこの光配向層に適用可能な光配向材料は、光配向の手法を適用可能な各種の材料を広く適用することができるものの、この実施形態では、例えば光２量化型の材料を使用する。この光２量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００３３】
液晶層１８は、この種の調光フィルムに適用可能な各種の液晶材料を広く適用することができる。具体的に、液晶層１８には、例えばメルク社製ＭＬＣ２１６６等の液晶材料を適用することができる。なお液晶セル１４は、液晶層１８を囲むように、シール材２９が配置され、このシール材２９により上側積層体１５Ｕ、下側積層体１５Ｄが一体に保持され、液晶材料の漏出が防止される。ここでシール材２９は、例えばエポキシ樹脂、紫外線硬化性樹脂等を適用することができる。
【００３４】
これらにより調光フィルム１０は、上側積層体１５Ｕ及び下側積層体１５Ｄの透明電極２１、２６間の印加電圧により液晶層１８に設けられた液晶の配向を制御し、透過光量を制御する。
【００３５】
〔調光システム〕
図２は、この実施形態に係る調光システムの説明に供する図である。なおこの図２においては、車両２の前後方向及び左右方向をｘ方向及びｙ方向により表し、車両２の高さ方向をｚ方向により表す。この実施形態の調光システム１は、車両２のサイドウインドウに適用されて透過光を制御する。すなわち車両２においては、前席側に、フロントウインドウ３、右側サイドウインドウ４Ｒ及び左側サイドウインドウ４Ｌが設けられる。この例は左ハンドル車の例であり、すなわち、前席は、この右側サイドウインドウ４Ｒ及び左側サイドウインドウ４Ｌの側がそれぞれ助手席及び運転席であり、それぞれ助手席の搭乗者５、運転手６が着席する。
【００３６】
この右側サイドウインドウ４Ｒ及び左側サイドウインドウ４Ｌには、内側にそれぞれ調光フィルム１０が貼り付けられて配置される。ここで調光フィルム１０はそれぞれ右側サイドウインドウ４Ｒ及び左側サイドウインドウ４Ｌの側が上側積層体１５Ｕとなるように貼り合わされ、電界の印加により倒れる液晶分子の向きが、右側サイドウインドウ４Ｒ及び左側サイドウインドウ４Ｌの外側より見て逆向き、すなわち、図２において、右側サイドウインドウ４Ｒでは車両の前方（Ｌ２７の方向）に向かうように、左側サイドウインドウ４Ｌでは車両の後方（Ｌ２７の逆方向）に向かうように設定される。
【００３７】
ここで以下においては、右側サイドウインドウ４Ｒ側について、調光システム１を詳細に説明する。このように配置するようにして、調光フィルム１０は、電界の印加により車両前方側に液晶層１８の液晶分子が倒れるように、配向層２３、２７が作製される。具体的に、図２（Ｂ）に示すように、配向層２７に対して斜めに傾いた方向より紫外線を照射して配向層２７の塗工層を硬化させ、これによりこの斜めに傾いた方向（図２（Ｂ）において符号Ｌ２７の方向であり、車両２の水平方向、前方向である）がプレチルトの方向であるように配向層２３を作製して配置する。またこれとは逆の方向より紫外線を照射して配向層２３を作製し、又は塗工面の鉛直方向より紫外線を照射して垂直配向層により配向層２３を作製する。なおこれにより直線偏光板１２、１３は、符号Ｌ１２、Ｌ１３により示すように、この符号Ｌ２７による水平方向に対して斜め４５度の方向が遅相軸方向であるように配置される。
【００３８】
ここで調光フィルム１０は、ＶＡ方式のシングルドメイン方式であることにより、視野角特性が悪く、方位角の変化により透過率の変化が著しい。これにより調光フィルム１０では、この視野角特性により、正面方向に比して斜めに傾いた方向で透過率が低下することになる。
【００３９】
この実施形態では、電界の印加により車両前方側に液晶層１８の液晶分子が倒れるようい設定されており、車両２に係る外部からの視線のうち、搭乗者を見て取ることができる視線は、車両２の前方から後方に向かうものが殆んどである。調光フィルム１０では、このような視線に係る調光フィルム１０の鉛直方向からの傾き（いわゆる極角である）θ１、θ２による透過率の変化が、この液晶分子の倒れ込む方向で、最も大きくなる。すなわち極角の変化による透過率の変化が前後方向で最も大きくなる。
【００４０】
これにより調光システム１では、調光フィルム１０への印加電圧の設定により、運転手６に係る極角θ２については、サイドウインドウ４Ｒ越しに外部より充分に見て取ることができ、またこれとは逆に、運転手６からは外の風景を充分にサイドウインドウ４Ｒ越しに見て取ることができるようにして、助手席の搭乗者５については、サイドウインドウ４Ｒ越しに外部より見て取ることができないようにし、また助手席の搭乗者５からは外の風景を充分に見て取ることができないようにすることができる。
【００４１】
これによりこの調光システム１では、方向によって著しく透過率が変化する視野角特性を有効利用して、運転手の視界を損うことなく、同乗者のプライバシーを保護することができ、調光フィルムの使い勝手を向上することができる。
【００４２】
すなわち図３は、極角による透過率の変化を示す特性曲線図である。この図３においては、液晶の倒れ込む側（前方向）が極角の正方向である。この図３は、電極２１、２６間の印可電圧を５Ｖ（正面方向の透過率を最大とする印可電圧の５０％の印可電圧である）に設定した特性である。この特性曲線図によれば、運転席に係る極角θ２が０〜１０度である場合、透過率を２５％〜３０％とすることができる。これに対して助手席に係る極角θ１が３０〜５０度である場合、透過率を１〜５％とすることができる。これにより方向によって著しく透過率が変化する視野角特性を有効利用して、運転手の視界を損うことなく、同乗者のプライバシーを保護することができ、調光フィルムの使い勝手を向上することができる。
【００４３】
これに対して左側サイドウインドウ４Ｌ側の調光フィルム１０は、右側サイドウインドウ４Ｒ側の調光フィルム１０と同一に作製され、右側サイドウインドウ４Ｒ側の調光フィルム１０と対称に配置されることになる。左側サイドウインドウ４Ｌでは車両の水平方向であって、車両後方（Ｌ２７の逆方向側）にプレチルトが向かうように設定される。これにより右側サイドウインドウ４Ｒ側の調光フィルム１０とは逆に、角度の大きな極角による視界を遮るようにして、右側サイドウインドウ４Ｒ側の調光フィルム１０と同様に、運転手の視界を損うことなく、同乗者のプライバシーを保護することができる。
【００４４】
〔第２実施形態〕
図４は、図２との対比により本発明の第２実施形態に係る調光システム４１の説明に供する図である。この調光システム４１において、車両４２は、右側サイドウインドウ４Ｒが縦長により作製され、調光フィルム１０は、第１実施形態について上述とした同様に、サイドウインドウ４Ｒ側がそれぞれ上側積層体１５Ｕとなるようにして、内側に、調光フィルム１０が配置される。また調光フィルム１０は、液晶層１８の液晶分子が、電界の印加により上下方向（より具体的には図４におけるＬ１３の方向である上方向）に倒れるように設定される。なお車両４２においては、左側サイドウインドウにおいても、右側サイドウインドウ４Ｒと同様に調光フィルムが配置されるものの、調光システムについては右側サイドウインドウ４Ｒと同一に構成されることにより、以下においては、右側サイドウインドウ４Ｒについて詳細に説明し、左側サイドウインドウに係る重複した説明は省略する。
【００４５】
これによりこの実施形態では、上下方向について、調光フィルム１０に対する極角の相違により透過光を遮光する帯状領域ＡＲと、何ら透過光を遮光しない領域とを作製できるように構成される。
【００４６】
この実施形態では、ユーザーによる操作により、調光フィルム１０への印加電圧を可変し、これによりこの透過光を遮光する帯状領域ＡＲを、調光フィルム１０の上下方向に可変できるように構成され、これにより搭乗者の眼線の高さに応じてサイドウインドウを目隠しできるように構成される。
【００４７】
図５は、印可電圧による透過率の変化を示す特性曲線図である。この図５において、符号Ｌ０、Ｌ２、Ｌ３、Ｌ４、Ｌ５、Ｌ６、Ｌ８、Ｌ１０は、図３について上述した調光フィルムにおいて、電極２１、２６間の印可電圧を０Ｖ、２Ｖ、３Ｖ、４Ｖ、５Ｖ、６Ｖ、８Ｖ、１０Ｖとした場合である。この図５によれば、印可電圧によって透過率が極小となる極角が変化することが判る。従って極角一定であれば、印可電圧により透過光を遮光する帯状領域ＡＲを可変することができる。
【００４８】
〔第３実施形態〕
図５は、図２及び図４との対比により本発明の第３実施形態に係る調光システム５１の説明に供する図である。この調光システム５１は、住宅の窓ガラス５２に調光フィルム１０が配置される。
【００４９】
ここで調光フィルム１０は、第２実施形態について上述したと同様に、電界の印加により上下方向に液晶分子が倒れるように配置される。これにより調光システム５１では、調光フィルム１０への印加電圧に応じて透過光を遮光する帯状領域ＡＲを形成し、さらにはこの帯状領域ＡＲの位置を可変できるように構成される。
【００５０】
調光システム５１は、これによりユーザー操作により調光フィルム１０への印加電圧を可変し、例えば図６（Ａ）に示すように、太陽５３からの直射光を屋内に導けるようにしたり、図６（Ｂ）に示すように、このような直射光を遮光したりする。
【００５１】
またこのような処理に供する帯状領域ＡＲの設定に係る印加電圧については、直射光の入射方向に応じて可変し、これにより時間の経過により太陽の位置が変化して直射光の入射方向が変化しても、この変化に対応できるように構成される。なおこのような直射光の入射方向にあっては、受光素子により直接計測して求めるようにしてもよく、また設置個所の緯度、経度の情報、時計による日時の情報等により求めるようにしてもよい。この実施形態においても、方向によって著しく透過率が変化する視野角特性を有効利用して、使い勝手を向上する。
【００５２】
〔第４実施形態〕
図７は、本発明の第４実施形態に係る調光システム６１の説明に供する図である。この調光システム６１は、例えば病室等の個人のプライベート空間に係る屋内６２と、廊下等である屋外６３との境界を仕切る窓６４に適用され、この窓６４に配置された窓ガラス６５に調光フィルム１０が配置される。
【００５３】
ここで調光フィルム１０は、電界により、窓６４の水平方向の一方の側に液晶分子が倒れ込むように配置される。これによりこの調光システム６１では、矢印Ａにより示すように、窓ガラス表面の鉛直方向については、充分な透過率を確保できるようにし、矢印Ｂにより示すように、斜め方向からは充分な透過率を確保できないようする。
【００５４】
これによりこの調光システム６１では、何ら特段の注意を払うことなく、窓６４の前を通り過ぎる通行人６６については、斜めに傾いた方向（左右方向）を遮光して屋内を隅々まで詳細に見て取られないようにし、これにより例えば窓６４の側方に座っているユーザー６７等については、見て取られないようしてプライバシーを保護する。また改めて屋内を覗き込むような場合にあっては、その視線の向きによって、ユーザー６７の存在を屋外から確認できるようにし、これらにより使い勝手を向上する。なおこのような屋内外の境界での使用では、例えば個室を備えた飲食店等で利用するようにしてもよい。
【００５５】
〔第５実施形態〕
図８は、本発明の第５実施形態に係る調光システム７１の説明に供する図である。この調光システム７１は、保育器７２に適用される。ここで保育器７２は、左右の透明部材７３Ｒ、７３Ｌの内側に、透明部材７３Ｒ、７３Ｌ側が上側積層体１５Ｕの側となるようにして調光フィルム１０が配置される。ここで調光フィルム１０は、電界により、透明部材７３Ｒ、７３Ｌの水平方向の一方の側に液晶分子が倒れ込むように配置される。
【００５６】
ここで図５において符号Ｌ０により示すように、印可電圧が０Ｖの場合、極角が大きくなると通過率が増大する。またこの大きな極角における透過率は、例えば配向層２３、２７に設定する水平配向規制力の大きさを変化させることにより増大することができる。
【００５７】
これによりこの調光システム７１では、矢印Ｃにより示すように、保育器７２内に保持された乳児７５の視界に入る範囲については、透過光を遮光できるように構成され、これによりこの乳児７５に刺激を与えないようにして乳児７５の睡眠等を妨げないようにする。また矢印Ｄにより示すように、乳児７５の視界に入らない方向については、充分な透過率を確保して外部ユーザーの視線を遮らないようにし、これにより保育器の外から乳児７５の様子を確認できるようにする。
【００５８】
〔他の実施形態〕
以上、本発明の実施に好適な具体的な構成を詳述したが、本発明は、本発明の趣旨を逸脱しない範囲で、上述の実施形態を種々に組み合せたり、さらには変更することができる。
【００５９】
すなわち上述の実施形態では、窓等の内側に調光フィルムを配置する場合について述べたが、本発明はこれに限らず、窓等の外側に配置するようにしてもよく、また窓等の内側と外側との両方に配置してもよい。
【００６０】
また上述の実施形態では、上側積層体がサイドウインドウ等の側となるように配置する場合について述べたが、本発明はこれに限らず、これとは逆向きに配置してもよい。
【符号の説明】
【００６１】
１、４１、５１、６１、７１  調光システム
２、４２  車両
４Ｌ、４Ｒ  サイドウインドウ
５  搭乗者
６  運転手
１０  調光フィルム
１２、１３  直線偏光板
１２Ａ、１３Ａ  位相差フィルム
１４  液晶セル
１５Ｄ  下側積層体
１５Ｕ  上側積層体
１６、２５  基材
１８  液晶層
２１、２６  透明電極
２２  スペーサ
２３、２７  配向層
２９  シール材
５２  窓ガラス
５３  太陽
６２  屋内
６３  屋外
６４  窓
６５  窓ガラス
６６  通行者
６７  ユーザー
７２  保育器
７３Ｌ、７３Ｒ  透明部材
７５  乳児
【図１】
2018055003.tif 000003
【図２】
2018055003.tif 000004
【図３】
2018055003.tif 000005
【図４】
2018055003.tif 000006
【図５】
2018055003.tif 000007
【図６】
2018055003.tif 000008
【図７】
2018055003.tif 000009
【図８】
2018055003.tif 000010